(57)【要約】【課題】本発明は、データ通信処理機能を備える自動ブックマークに関する。【解決手段】Г形状の本装置は、透明で弾力性の薄膜板、又は該板と不透明な薄膜板との組合せ、からなる。基板Ｖは本内に挿入される。フックＩは、本装置を本の背筋の上部端に掛る為である。基板Ｖ上部のマージンＡには、文章・画像を表示できる。透明なページホールダＳは、開いたページを活字を遮らずに保持する。その外側辺Ｊ及び内側辺Ｚは、其々角度Ωで内方向に、或いは角度βで外方向に、傾斜させても良い。基板ＶとアームＫの接合部Ｆと、アームＫとホールダＳの接合部Ｇは其々、円弧状、傾斜状、又は直角でも良い。辺Ｐには、複数の歯ＸｎかＹｎ等又は高摩擦係数か簡易接着性の表面帯を、基板Ｖの片面又は両面に施しても良い。穴Ｒｎはバインダへの装着用である。バーコード、モザイクコード、又はＩＣチップ等は、データ通信処理を可能にする。【選択図】          図１
2011148128.tif 000002
【特許請求の範囲】
【請求項１】
予め定めた大きさと厚みの基板と；
該基板部の上部を形成する、任意高さのマージン部と；
該マージン部から左に任意の長さ突出し、該基板との下側の接合点に直角のコーナを形成するフックと；
該マージン部から右へ伸びる、予め定めた高さと長さで柔軟性と弾力性を有するアームと；
予め定めた幅と長さで、該アーム右側端から下方に伸びる、透明で柔軟性と弾力性を有するページホールダと；
を備えた、柔軟性と弾力性を有する透明な材質の薄膜板、もしくは該薄膜板と不透明な材質の薄膜板との組み合わせ、
からなることを特徴とするブックマーク。
【請求項２】
前記基板と前期アームとの下側接合部に円弧状のコーナを有し、
該アームと前記ページホールダとの下側接合部に円弧状のコーナを有する、
ことを特徴とする請求項１記載のブックマーク。
【請求項３】
前記基板の左側エッジに沿って、交互に反対方向にユニフォームに形成されている、複数の予め定めた突出形状を有する、
ことを特徴とする請求項１記載のブックマーク。
【請求項４】
前記左側エッジ沿って前記基板の片面もしくは両面に形成されている、高摩擦係数、もしくは、簡易接着性の表面を有する細薄帯を有する、
ことを特徴とする請求項１記載のブックマーク。
【請求項５】
前記左側エッジが先細な前記基板、
からなることを特徴とする請求項１記載のブックマーク。
【請求項６】
前記基板、前記マージン、或いは前記アームに統合されている、バーコード、モザイクコード、或いはＩＣチップなど電子工学的データ通信用媒体、
からなることを特徴とする請求項１記載のブックマーク。
【請求項７】
前記基板の前記左側エッジから所定量内側に、該エッジに平行に少なくとも一つの穴が形成されている、
ことを特徴とする請求項１記載のブックマーク。
【請求項８】
前記アームに対して任意角度で前方向もしくは後方向に曲折されている前記ページホールダ、
からなることを特徴とする請求項１記載のブックマーク。
【請求項９】
任意角度で内側方向に傾斜して形成されている外側エッジを有する前記ページホールダ
からなることを特徴とする請求項１記載のブックマーク。
【請求項１０】
任意角度で外側方向に傾斜して形成されている内側エッジを有する前記ページホールダ
からなることを特徴とする請求項１記載のブックマーク。
【請求項１１】
任意角度で内側方向に傾斜して形成されている外側エッジを有する前記ページホールダのと
任意角度で外側方向に傾斜して形成されている内側エッジを有する該ページホールダと
からなることを特徴とする請求項１記載のブックマーク。
【請求項１２】
前記マージン部に対して任意角度で前方向もしくは後方向に曲折されている前記フック、
からなることを特徴とする請求項１記載のブックマーク。
【発明の詳細な説明】
【技術分野】
【０００１】
本発明は、ブックマークに関し、詳細には、読者がページを捲って行くと自動的に新しく開かれたページをマークすることができ、従来の類似の発明の限界や短所の解決によって使いやすさ、耐久性、宣伝機能、電子工学的データ通信処理機能などを実現したブックマークに関する。
【背景技術】
【０００２】
ブックマークは、本が発明された時から何らかの形で存在し、多様な考案がなされて来た。ブックマークの主な目的は、読者が中断したページをマークして置くことである。一番簡単なものは、単に小さな紙片であったり、または、縦長のカードであったりする。しかし、それらのタイプは、読む時には取り除き、中断する時に戻さなければならない。そして、緊急の用事で中断しなければならない時など戻し忘れることが良くあり、紛失に繋がる。
【０００３】
過去にも、特許文献１、特許文献２、特許文献３及び特許文献４などに公開されているような、自動的ブックマークがあった。
【発明の概要】
【発明が解決しようとする課題】
【０００４】
しかしながら、上記従来技術にあっては、用途的及び機能的に限界があり、長期的使用による消耗や破損の問題が起こりうる。
【０００５】
例えば、特許文献１は、基板４を簡易接着テープで本の最後部のページに貼り付け、読もうとするページにアーム３を持って行き爪２を引っ掛けてページを自動的に保持するブックマークであるが、簡易接着テープである為ページの撓みなどで剥がれやすく、剥がれるとアンカーとしての役割が果たせなくなり、本から脱落する可能性が高くなる。また、アームと首が細いので何かの拍子に過剰な外力が加わると破損しやすい。さらに、ページを保持する爪２が余りにも小さく、しかも基板部４を張り付ける際位置の指針がないので、爪２の位置が不安定になり本から脱落する可能性も高い。接着テープであるから?す際にページの表面を傷める危険性もあり、しかも、二・三度使えば接着力も実用不可能の状態に低下する。新たに適切なテープを張らない限り使えなくなるという不便さがある。両面接着テープをわざわざ買いに行く利用者はほとんどいないだろうし、両面接着テープで片側が簡易接着性を有する物は非常に稀である。さらに、例えば本がかなり厚い場合はもっと中間の位置に装着する必要が出て来るが、接着テープであるので、迂闊に活字上に接着できない。
【０００６】
特許文献２の主要部分はブックマークを本にクリップするタングｂと、新しく開いたページを保持するリーフホールダｄを抑えるように保持するスプリング部ｃからなる。しかし、タングｂとリーフホールダｄは長期使用すると損傷する可能性がある。なぜなら、線形や角度のある切り口には、折曲げ運動を反復しているといずれは亀裂が生じるからである。さらに、小さいリーフホールダｄの利点は活字の視界を遮蔽しないようにする為であると思うが、短所は、リーフホールダｄによって抑えられているページが緩んで、リーフホールダｄから脱落してしまう可能性が高い。何故なら、タングｂが破損しだすと、ブックマークを継続して強固に保持することができなくなるからである。
【０００７】
特許文献３の目的は、手でマーカ２を持ち上げて読み終えたページをその下に滑り込ませるようにしてマーカ２の下に束ねることである。この発明には、次に説明するように、本質的な問題がある。それは、読者が読み終えた右側のページを左側に捲ってマーカ２の下に滑り込ませると、次に読みたいページは左側のそのページであるから、マーカ２の長さによっては読者の視界が妨げられる問題が起こる。
【０００８】
特許文献４は簡素で効果的なブックマークである。しかし、そのアームを本に接着しなければならない為、再利用が難しい。たとえ簡易接着剤であったとしても、二・三度使えば粘着力は充分でなくなる。また、接着する際不適切な位置に接着すると機能が低下するから、普通以上の注意が必要になる。さらに、ブックマークを?す際本を傷める可能性がある。
【０００９】
そこで、本発明は、上記指摘した従来の自動ブックマークの問題及び短所を解決することを目的としている。さらに詳細には、本発明の目的は、ブックマークの取り付け方法を簡単にし、読書の際にブックマークを移動させる必要性を軽減し、文章及びイメージ等の宣伝広告メッセージなどを常に読者の目に触れさせることを可能にし、バーコード、モザイクコード、もしくは、ＩＣチップを統合することによって、ユニークな電子工学的データ通信処理への応用を可能とすることを目的とする。
【課題を解決するための手段】
【００１０】
本発明は、透明かつ柔軟性・弾性力を有する材質のシートか、もしくは、そのようなシートと不透明で柔軟性・弾性力を有する材質のシートとのコンビネーションを適用して宣伝広告機能をも可能にし、より実利的な自動ブックマークを実現することによって、上記目的を達成している。ブックマークのページホールダ部分を透明にすることによって、活字を読者の視界から遮蔽することを防ぎ、柔軟性及び弾性力を有するアームが軽いスプリングの役割を果たし、開いたページを自動的に適切に押圧保持することが可能になる。
【００１１】
下記に更に詳細に説明するように、そのユニークな形状及びブックマークの物理的処理によって、耐久性、使いやすさ、宣伝広告用のメッセージスペース等の実現が可能になる。
【発明の効果】
【００１２】
本発明によれば、より良い読書環境が読者に提供され、宣伝広告や電子工学的データ通信処理などの機能の実現が可能になる。
【図面の簡単な説明】
【００１３】
【図１】本発明の一実施例を表示する表面図。
【図２】本発明の一実施例を表示する、図１に示す実施例の右側面図。
【図３】本発明の一実施例を表示する、図１に示す実施例の底面図。
【図４】本発明の一実施例のもう一つの特徴を表示する、図１に示す実施例の底面図。
【図５】本発明の一実施例のさらにもう一つの特徴を表示する、図１に示す実施例の底面図。
【図６】本発明の一実施例を本に装着した場合を表示する描画図。
【図７】本発明の一実施例を本に装着した場合を表示する描画図。
【図８】本発明の一実施例を表示する部分的表面図。
【図９】本発明の一実施例を表示する部分的側面図。
【図１０】本発明の一実施例を表示する部分的底面図。
【図１１】本発明の一実施例を表示する部分的表面図。
【図１２】本発明の一実施例を表示する部分的側面図。
【図１３】本発明の一実施例を表示する部分的底面図。
【図１４】本発明の一実施例を表示する部分的表面図。
【図１５】本発明の一実施例を表示する部分的側面図。
【図１６】本発明の一実施例を表示する部分的底面図。
【図１７】本発明の一実施例を表示する部分的表面図。
【図１８】本発明の一実施例を表示する部分的表面図。
【図１９】本発明の一実施例を表示する部分的表面図。
【発明を実施するための形態】
【００１４】
以下、本発明の好適な実施例を添付図面に基づいて、従来の発明と比較しながら詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件であるとは限らない。
【実施例１】
【００１５】
これ迄に発明されたブックマークの殆どは、装着が簡単であるが読書中の取り扱いが面倒か、もしくは、読書中の取り扱いは簡単であるが装着が面倒であるか、のどちらかである。例えば、特許文献２のブックマークは、タングｂを本の裏表紙を挟むようにして装着される。これには、次に説明するように、ないがしろにできない問題が二つある。一つは、タングｂがスプリングｃを常に一定して本の上端部に平行に固定保持できるとは限らず、従って、ページ上の活字を遮蔽するのを避ける目的で考案された水平に細長いリーフホールダｄは、ページを捲って行く中に上方向にずれ上がり勝ちになり、本から脱落する可能性がある。従って、読者は頻繁にリーフホールダｄを装着し直さなければならないかも知れない。この問題は、特許文献２が本来達成しようとした目的に矛盾する。もう一つの問題は、タングｂは、反復装着によって引き裂かれる可能性が高い。また、リーフホールダｄも、反復して持ち上げると引き裂かれる可能性が高い。何故なら、線形の切れ込みを入れたシートは、それに曲げ応力が反復して加えられると、徐々に亀裂が生じて来るからである。
【００１６】
図１は、本発明の自動ブックマークの一実施例を示す図である。本発明の自動ブックマークは、透明かつ柔軟性と弾性がある薄膜シート、もしくは、そのようなシートと不透明かつ柔軟性と弾性がある薄膜シートとのコンビネーションを、スタンピング方法、カッティング方法、或いはモールディング方法などによって成形される。
【００１７】
本発明の自動ブックマークの装着方法は次に述べるように簡単で安定している。本ブックマークのより理想的な装着位置は、本の裏表紙の直ぐ内側ではなく、数ページ手前である。何故なら、本の背筋に沿って強固に束縛されたページ間に装着されたブックマークは、その束縛力によって押圧されて定着するからである。もし、本がかなり厚い場合は、本ブックマークを中間のページ間に簡単に移動させることが出来る。図７に示すように、本発明のブックマークをページ間の上方から本の背筋に沿って下げて行くと、フックＩが、直角に切り込んだ角Ｎの所で、本の背筋の上端に引っ掛かる。そして、基板ＶのエッジＰを本の背筋に向けて軽く押し込む。フックＩは領域Ａの面に対して角度θで前方、または後方に、水平方向に折り曲げられているので、ページ束で形成された背筋の上表面上にフックＩが落ち着くことが確実になる。角度θが９０度の時、フックの引っ掛り効率は最大になる。
【００１８】
角度θを９０度にしない場合は、本ブックマークのエッジＰと上部マージンＭの最左端との間の幅Ｅは、本が閉じられた時フックＩがハードカバーに当たらないよう、経験的に設定する。
【００１９】
切り込まれた角ＮとエッジＰによって、本ブックマークの上部分Ｍは本の上外に設置される。
【００２０】
図２、図３、図４に示されるように、ページホールダＳは、領域Ａの面に対して角度Фで折り曲げられてもよい。この曲折によって、ページホールダＳが開かれたページをさらに満面に押さえることが可能になる。角度Фは、経験的に設定しても良い。ただし、この曲折がなくても、ページホールダＳは正常に機能する。
【００２１】
ページホールダＳの外側エッジＪは、図１、図２と図６に示すように、ページの捲り具合を向上させる為に内側方向に任意角度Ωで切り込んでも良い。ただし、この切り込みをしなくても、ページホールダＳは機能する。
【００２２】
ページホールダＳの外側エッジＺは、図１と図２に示すように、ページの捲り具合を向上させる為に外側方向に任意角度βで切り込んでも良い。ただし、この切り込みをしなくても、ページホールダＳは機能する。
【００２３】
図１、図１７、図１８、図１９は、ページホールダＳのエッジＪとＺの４つの好適実施例のコンビネーションを示す。
【００２４】
図４では、ページホールダＳとフックＩは其々、図２、図３の表示とは反対の方向へ折り曲げられている。これは、ページの順序が西洋の本とは逆になっている国に本発明のブックマークを適合させる為である。そのような場合は本発明のブックマークの構成は図４に基づき、そのような本に装着する時は、ページホールダＳとフックＩの曲折方向を其々反転させる。
【００２５】
図５では、基板部Ｖが曲率半径ｒで手前に水平方向に湾曲されている状態を表す。本を開いた時にはページが外側方向に撓む為、このようにその曲面に本発明のブックマークを合わせてもよい。これによって本発明のブックマークは更に本から滑り落ち難くなる。日本の本のように右から引く場合に適応させるには、基板部Ｖを反対側に水平方向に湾曲させるとよい。
【００２６】
角ＦとＧは単純に直角でも良い。ただし、ページホールダＳは読者に持ち上げられたり引っ張られたり捻じ曲げられたりするので、直角に切り込まれた角だと、長期使用下では裂ける傾向にある。一方、円弧状の繋ぎ目は、裂け押圧に対してより耐久力を有する。
【００２７】
ページホールダＳのＱで代表される部分は、図６に示すように、開いたページの右上の表面上に自動的に落ち着く。部分Ｑの長さは、経験的に決めても良い。もし長過ぎると、ページ捲りに多少支障を来すかも知れない。短過ぎると、ページホールダＳは現在のページから脱落する可能性が高くなる。本発明のブックマークの得点は、ページホールダＳが透明であるので、それがたとえ活字に覆い被さっても、その下の文章は透けて見えることである。
【００２８】
ここに示される図には、本発明を明快に説明する為、ブックマーク基板が相対的な厚さに描画されているが、実際にはそれよりも厚くても薄くても良い。
【００２９】
厚みＴは、本発明のブックマークを本に問題なく装着出来るように、経験的に充分薄く設定されるが、本発明のブックマークのもう一つの得点は、ブックマークを本により容易にかつ安定して設置できるように、基板ＶのエッジＰを処理することによって実現される。
【００３０】
図８、図９、図１０は、複数の小さな三角形の歯ＸｎをエッジＰに沿って施した、一好適実施例を示す。歯Ｘｎは、図９と図１０に示すように、モールドによって形成してもよりし、エッジＰをカットして、経験的に好適な角度に、一つおきに反対方向へ折り曲げても良い。歯Ｘｎは、本発明のブックマークを出し入れする時に簡単に破損しない位の大きさにしても良い。このような歯Ｘｎを有するエッジＰを、開いたページ間で図７に示すように本の背筋に向かって挿入し、そして図６に示すように、読もうとする別のページを開くと、本の背筋に沿って生じる束縛力が基板Ｖを押圧し、保持する。そのページを再び開くと、歯Ｘｎは解放され、ブックマークは簡単に外れる。
【００３１】
図１１、図１２、図１３はエッジＰの処理方法のもう一つの好適実施例を示す。ここでは、図１３に示すように、エッジＰに沿って、先端に行くに従って厚みを徐々に薄くして行っても良い。そして、図１１と図１２に示すように、エッジＰの片側もしくは両側に沿って、摩擦係数の高い薄膜や簡易粘着性のあるゴム状の材料などによる細い帯Ｗを、滑り止め強化用に施しても良い。この摩擦係数の高い帯Ｗが、ブックマークの設置状態を強化する。ただし、エッジＰは先端に行くに従って薄くしなくても、本ブックマークは充分正常に機能する。
【００３２】
図１４、図１５、図１６はエッジＰの処理方法のさらにもう一つの好適実施例を示す。ここでは、複数の長方形の小さな歯ＹｎがエッジＰに沿って施される。歯Ｙｎは、図１５と図１６に示すように、モールドによって形成してもよりし、エッジＰをカットして、経験的に好適な角度に、一つおきに反対方向へ折り曲げても良い。歯Ｙｎの長さＬと幅Ｕは、本発明のブックマークを出し入れする時に簡単に破損しない位の大きさで、しかも、ブックマークが図６に示すように本の中に落ち着く時に本の背筋に沿った束縛力に対して充分なアイソメトリック力を生じる位にしても良い。
【００３３】
ここではブックマークを本に保持する方法として３つの手段しか述べていないが、ここに述べる本発明の概念に基づけば、この他の類似な手段は容易に実施できる。
【００３４】
穴Ｒｎは、ブックマークをバインダに応用する為である。バインダ用穴Ｒｎは、工業規格に準ずるものにしてもよい。
【００３５】
図１、図２、図３に示すように、範囲Ａは、常にページの上外に露出していて読者の目に触れているので、宣伝広告などの為のイメージや文章によるメッセージを表示するのに適している。基板Ｖの表面は範囲Ａほど常に読者の目に触れないが、範囲Ａに述べる宣伝に関する追加事項を表記しても良い。
【００３６】
バーコードＨは、商業取引など電子装置間通信に利用しても良い。ここではバーコードだけ表示しているが、モザイクパタンコードやＩＣチップなど、他のメディア装置も用意に実施できる。
【００３７】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【００３８】
Ａ    宣伝広告が可能な領域
Ｂ    アームＫの幅
Ｃ    アームＫとページホールダＳの間の曲折線
Ｄ    基板ＶとフックＩの間の曲折線
Ｅ    直角の角Ｎの深さ
Ｆ    アームＫの部分の一方の角
Ｇ    アームＫの部分のもう一方の角
Ｈ    バーコード
Ｉ    フック
Ｊ    内部方向に斜めに下がる、ページホールダＳの外側エッジ
Ｋ    柔軟性と弾力性を有するアーム
Ｌ    図１４内に示す歯の長さ
Ｍ    ページの上方に突出するブックマークの上部マージンの高さ
Ｎ    内部方向に切り込まれた直角の角
Ｐ    基板Ｖの外側エッジ
Ｑ    ページホールダＳの区分
Ｒｎ  バインダ用の穴
ｒ    基板Ｖを曲折する場合の曲率半径
Ｓ    ページホールダ
Ｔ    ブックマーク板の厚み
Ｕ    図６中に示す歯Ｙｎの幅
Ｖ    基板
Ｗ    薄く細長い、摩擦性や簡易粘着性を有する材料からなる帯
Ｘｎ  複数の歯
Ｙｎ  図６中の複数の歯
Ｚ    外側方向に斜めに下がる、ページホールダＳの内側エッジ
Ф    ページホールダＳとアームＫの間の曲折角度
θ    ブックマークのフックＨと上部マージンの間の曲折角度
Ω    ページホールダＳのエッジＪと垂直線との間角度
β    ページホールダＳのエッジＺと垂直線との間角度
【先行技術文献】
【特許文献】
【００３９】
【特許文献１】特開２００４−３３０７５４号公報
【特許文献２】ＧＢ１９０３０７３１２Ａ
【特許文献３】ＵＳ６０１５１６６Ａ
【特許文献４】ＵＳ３６９７１００Ａ
【図１】
2011148128.tif 000003
【図２】
2011148128.tif 000004
【図３】
2011148128.tif 000005
【図４】
2011148128.tif 000006
【図５】
2011148128.tif 000007
【図６】
2011148128.tif 000008
【図７】
2011148128.tif 000009
【図８】
2011148128.tif 000010
【図９】
2011148128.tif 000011
【図１０】
2011148128.tif 000012
【図１１】
2011148128.tif 000013
【図１２】
2011148128.tif 000014
【図１３】
2011148128.tif 000015
【図１４】
2011148128.tif 000016
【図１５】
2011148128.tif 000017
【図１６】
2011148128.tif 000018
【図１７】
2011148128.tif 000019
【図１８】
2011148128.tif 000020
【図１９】
2011148128.tif 000021